(57)【要約】【課題】  ウェットシートなどを収納したシート収納部の開口部を覆う蓋材を容易に且つ確実に剥がして、前記開口部を露出させることができるシート収納装置を得る。【解決手段】  シート収納部３にはウェットシートが収納され、シート収納部３の上面３１には開口部６が形成され、且つ上面３１には開口部を覆う蓋材５が接着されている。シート収納部３に対してスライド自在な開閉操作部材４に前記蓋材５の先端の固定部５９が固定されている。シート収納部３を開閉操作部材４から引き出す動作において、前記蓋材５が上面３１から徐々に剥がされて開口部６が露出する。【選択図】図３
2005126115.tif 000002
【特許請求の範囲】
【請求項１】
シートを取り出す開口部が設けられたシート収納部と、前記シート収納部に移動可能に組み合わされて閉鎖位置と開放位置との間を移動する開閉操作部材とが設けられたシート収納装置において、
前記開口部の周囲に接着される可撓性の蓋材が設けられて、前記蓋材の一部が前記開閉操作部材に固定されており、前記開閉操作部材が前記閉鎖位置にあるときに前記蓋材が前記開口部を覆い、前記開閉操作部材が前記閉鎖位置から前記開放位置に移動するにしたがって、前記開閉操作部材と共に前記蓋材が前記開口部の周囲から離れて前記開口部が露出されることを特徴とするシート収納装置。
【請求項２】
前記開閉操作部材は、前記シート収納部に対してスライド動作自在であり、スライド方向に向く前記蓋材の前端部が反転して折り返されて前記開閉操作部材に固定されている請求項１記載のシート収納装置。
【請求項３】
前記蓋材は、前記前端部と逆向きとなる後縁部と、前記スライド方向に延びる両側縁とを有しており、前記後縁部から前方へ距離を空けた位置で前記両側縁から切欠きが形成されており、
前記蓋材が前記開口部から離れるときに、前記切欠きと前記後縁部とで挟まれた部分が前記シート収納部に接着されたストッパ部として機能する請求項２記載のシート収納装置。
【請求項４】
前記開閉操作部材は、前記シート収納部に対してスライド動作自在であり、スライド方向に向く前記蓋材の前端部および後端部が反転して折り返されて、前記前端部と後端部が共に前記開閉操作部材に固定されており、
前記開閉操作部材が一方向へスライドするときと他方向へスライドするときの双方において、前記開閉操作部材と共に前記蓋材が前記開口部の周囲から離れて前記開口部が露出される請求項１記載のシート収納装置。
【請求項５】
前記開閉操作部材は、前記シート収納部の前記開口部が形成されている面を覆う上面と、前記シート収納部の両側部を覆う両側面とを少なくとも有している請求項２ないし４のいずれかに記載のシート収納装置。
【請求項６】
前記開閉操作部材が閉鎖位置のときに、前記上面が前記シート収納部の前記開口部が形成されている面のほぼ全域を覆う請求項５記載のシート収納装置。
【請求項７】
前記開閉操作部材が閉鎖位置のときに、前記上面が前記シート収納部の前記開口部が形成されている面の一部のみを覆う請求項５記載のシート収納装置。
【請求項８】
前記シート収納部は硬質の容器で、シートを取り出す前記開口部が形成されており、前記蓋材は、前記開口部の周囲で前記容器の表面に接着可能である請求項２ないし７のいずれかに記載のシート収納装置。
【請求項９】
前記シート収納部は、開口部を有する軟質な袋体にシートが包まれたシート包装体であり、前記開閉操作部材が前記シート包装体の外側にスライド自在に組み込まれ、前記シート包装体の前記開口部の周囲に接着された前記蓋材が、前記開閉操作部材に固定されている請求項２ないし７のいずれかに記載のシート収納装置。
【請求項１０】
前記シート収納部は硬質の容器であり、前記開閉操作部材は、前記容器の前記開口部が形成されている面にスライド自在に設けられたスライド板であり、スライド方向に向く前記蓋材の前端部が反転して折り返されて前記スライド板に固定されている請求項１記載のシート収納装置。
【請求項１１】
前記シート収納部は硬質の容器であり、前記開閉操作部材は、前記開口部に対向する閉鎖位置から開口部から離れる開放位置へ向けて回動自在であり、前記蓋材の端部が前記開閉操作部材に固定されている請求項１記載のシート収納装置。
【発明の詳細な説明】
【技術分野】
【０００１】
本発明は、ティッシュペーパ、ウェットシート、キッチン用シートなどのシートが収納されて、前記シートを取り出すことが可能なシート収納装置に関する。
【背景技術】
【０００２】
ティッシュペーパ、ウェットシート、キッチン用シートなどの各種シートは、ケースに収納されて、ケースに形成された開口部から一枚ずつまたは複数枚ずつ取り出し可能とされている。この種のシートは衛生上、ケース内に密閉された状態で収納されていることが好ましい。特に、ウェットシートは、水分または殺菌剤や洗浄剤または保湿剤などを含む薬液が含浸されているため、ケース内に収納されているときに前記水分や薬液が乾燥しないようにケース内に密閉されて収納されていることが好ましい。
【０００３】
以下の特許文献１および特許文献２には、軟質の包装材料で形成された袋体の内部にウェットシートが収納され、前記袋体に形成された開口部から前記ウェットシートが取り出し可能となっている。前記袋体の表面には軟質な蓋材が接着されて前記開口部が覆われており、前記蓋材を袋体の表面から引き剥がすことにより、前記開口部が露出するようになっている。
【０００４】
以下の特許文献３には、合成樹脂で形成された硬質のケース内にウェットシートが収納されており、前記ケースに形成された開口部から前記ウェットシートが取り出し可能となっている。前記ケースには、硬質の蓋体が回動自在に取り付けられており、この蓋体により前記開口部を閉じることができるようになっている。
【特許文献１】特開平２−３０９４８号公報
【特許文献２】特開平１１−３１０２８１号公報
【特許文献３】特開２０００−２５８０５号公報
【発明の開示】
【発明が解決しようとする課題】
【０００５】
前記特許文献１または特許文献２に記載のものでは、蓋材を袋体から剥がすときに、指で蓋材の先端部を掴んで持ち上げることが必要である。このとき、蓋材と袋体との接着力が強すぎると、蓋材を剥がすのに大きな力を必要とし、蓋材を剥がすのが困難な場合がある。
【０００６】
また、前記蓋材を袋体から剥がしたときに、蓋材から指を離すと、蓋材が袋体の表面に倒れ込んで袋体の表面に接着されてしまう。よって、蓋材を袋体から剥がした後に指で剥がした状態を保持したまま、他の指で開口部からシートを取り出すことが必要であり、シートの取り出しに両手が必要となって不便である。
【０００７】
また、蓋材の先端部を指で開いて剥がした後に、蓋体を閉じるときには、袋体の表面に固定されている後端部から前記先端部に向けて、蓋材を徐々に袋体の表面に押し付けていくことが必要である。このとき蓋材が曲がったり、袋体の表面が波状に変形していると、蓋材の接着面と袋体の表面との間に、接着されずに隙間が形成される部分が発生し、蓋材で開口部を確実に閉鎖できないことがある。
【０００８】
また、特許文献３に記載のものは、蓋体を閉じたときに、この蓋体とケースとを強く嵌合させておかないと、ケース内部の密閉性が低下することになり、また蓋体をケースから持上げるときに、前記嵌合を解除する操作が必要となるため、操作が煩雑である。また、蓋体とケースとが嵌合された状態で、蓋体とケースとの間に隙間が形成されやすく、特許文献１または特許文献２に記載のように、蓋材を開口部の周囲に接着させる構造に比べて、ケースの内部を確実に密閉するのが難しい。
【０００９】
本発明は上記従来の課題を解決するものであり、シート収納部の開口部の周囲に接着される蓋材を軽い力で確実に剥がすことができ、また蓋材を剥がした後に、蓋材を開口部から離した位置で確実に保持できるシート収納装置を提供することを目的としている。
【課題を解決するための手段】
【００１０】
本発明は、シートを取り出す開口部が設けられたシート収納部と、前記シート収納部に移動可能に組み合わされて閉鎖位置と開放位置との間を移動する開閉操作部材とが設けられたシート収納装置において、
前記開口部の周囲に接着される可撓性の蓋材が設けられて、前記蓋材の一部が前記開閉操作部材に固定されており、前記開閉操作部材が前記閉鎖位置にあるときに前記蓋材が前記開口部を覆い、前記開閉操作部材が前記閉鎖位置から前記開放位置に移動するにしたがって、前記開閉操作部材と共に前記蓋材が前記開口部の周囲から離れて前記開口部が露出されることを特徴とするものである。
【００１１】
このシート収納装置は、開閉操作部材を開放位置へ移動させるだけで、蓋材をシート収納部から剥がすことができ、また開閉操作部材を開放位置に移動させたときに、蓋材が開口部から離れた状態に保持できる。また、開閉操作部材を閉鎖位置へ移動させるときに、蓋材をシート収納部の開口部を閉じる状態に設置できる。
【００１２】
なお、シート収納部と蓋材とを接着する接着剤は、蓋材の裏面に形成されていてもよいし、あるいはシート収納部の表面に形成されていてもよい。
【００１３】
本発明は、前記開閉操作部材は、前記シート収納部に対してスライド動作自在であり、スライド方向に向く前記蓋材の前端部が反転して折り返されて前記開閉操作部材に固定されているものとして構成できる。
【００１４】
この場合に、本発明は、前記蓋材は、前記前端部と逆向きとなる後縁部と、前記スライド方向に延びる両側縁とを有しており、前記後縁部から前方へ距離を空けた位置で前記両側縁から切欠きが形成されており、
前記蓋材が前記開口部から離れるときに、前記切欠きと前記後縁部とで挟まれた部分が前記シート収納部に接着されたストッパ部として機能するものが好ましい。
【００１５】
前記ストッパ部を設け、あるいは前記蓋材の後端部をシート収納部の表面に強固に固着させておくと、開閉操作部材を開放位置へ移動させる際に、蓋材の後端部がシート収納部から剥がれてしまう現象を防止できる。
【００１６】
また、本発明は、前記開閉操作部材は、前記シート収納部に対してスライド動作自在であり、スライド方向に向く前記蓋材の前端部および後端部が反転して折り返されて、前記前端部と後端部が共に前記開閉操作部材に固定されており、
前記開閉操作部材が一方向へスライドするときと他方向へスライドするときの双方において、前記開閉操作部材と共に前記蓋材が前記開口部の周囲から離れて前記開口部が露出されるものとして構成することもできる。
【００１７】
前記のように開閉操作部材がスライドする本発明においては、前記開閉操作部材は、前記シート収納部の前記開口部が形成されている面を覆う上面と、前記シート収納部の両側部を覆う両側面とを少なくとも有しているものとして構成できる。
【００１８】
前記において、本発明は、前記開閉操作部材が閉鎖位置のときに、前記上面が前記シート収納部の前記開口部が形成されている面のほぼ全域を覆うものであって、開閉操作部材が箱形状のものとして構成できる。
【００１９】
あるいは、本発明は、前記開閉操作部材が閉鎖位置のときに、前記上面が前記シート収納部の前記開口部が形成されている面の一部のみを覆うものであってもよい。
【００２０】
さらに、本発明は、前記シート収納部は硬質の容器で、シートを取り出す前記開口部が形成されており、前記蓋材は、前記開口部の周囲で前記容器の表面に接着可能である。
【００２１】
また、本発明は、前記シート収納部は、開口部を有する軟質な袋体にシートが包まれたシート包装体であり、前記開閉操作部材が前記シート包装体の外側にスライド自在に組み込まれ、前記シート包装体の前記開口部の周囲に接着された前記蓋材が、前記開閉操作部材に固定されているものとして構成できる。
【００２２】
さらに、本発明は、前記シート収納部は硬質の容器であり、前記開閉操作部材は、前記容器の前記開口部が形成されている面にスライド自在に設けられたスライド板であり、スライド方向に向く前記蓋材の前端部が反転して折り返されて前記スライド板に固定されているものとして構成できる。
【００２３】
また、本発明は、前記シート収納部は硬質の容器であり、前記開閉操作部材は、前記開口部に対向する閉鎖位置から開口部から離れる開放位置へ向けて回動自在であり、前記蓋材の端部が前記開閉操作部材に固定されているものである。
【発明の効果】
【００２４】
本発明では、開閉操作部材を閉鎖位置から開放位置へ移動させるだけで、シート収納部の開口部周囲から蓋材を確実に剥がすことができ、また開閉操作部材を開放位置に位置させておくと、開口部が開放された状態を維持できる。
【００２５】
また、開閉操作部材を開放位置から閉鎖位置へ移動させる際に、蓋材が開口部の周囲に徐々に押し付けられていくため、蓋材で開口部を確実に閉鎖することも可能である。
【発明を実施するための最良の形態】
【００２６】
図１は本発明の第１の実施の形態のシート収納装置１を示す分解斜視図、図２（Ａ）は図１に示すシート収納体が組み立てられた状態を示すＩＩ−ＩＩ線の断面図、図２（Ｂ）は開閉操作部材を操作している状態を示す部分断面図、図３は開口部を開放した状態を示す斜視図である。
【００２７】
図１に示すシート収納装置１は、内部にウェットシート積層体２を収納するシート収納部３と、シート収納部３に対してスライド動作自在に組み合わされた開閉操作部材４とを有している。また前記シート収納部３の表面に接着される蓋材５が設けられ、前記シート収納部３と前記開閉操作部材４とが蓋材５によって連結されている。
【００２８】
図２（Ａ）に示すように、この実施の形態では、シート収納部３の内部に直接にウェットシート積層体２が収納されている。前記ウェットシート積層体２を構成している個々のウェットシート２ａは、紙または不織布などのシート状担体に、蒸留水やアルコールを含む薬液が含浸されたものである。薬液には用途に応じて殺菌剤，洗浄剤，保湿剤などが含まれる。ウェットシート２ａは、所定面積となるように予めカットされたものが折り畳まれ積層されて、シート収納部３に収納されている。
【００２９】
シート収納部３は、紙材やプラスチックシートを箱状に折って形成されたものであり、上面３１、底面３２、両側面３３，３３、前端面３４および後端面３５が閉鎖された６面体の箱状容器である。シート収納部３の前記上面３１には、ウェットシート２ａを取り出すための開口部６が形成されている。開口部６は、前端面３４から後端面３５に向く前後方向に開口寸法の長い長穴形状であり、この開口部６は、前端面３４側に偏った位置に形成されている。
【００３０】
シート収納部３は防湿性を有することが好ましく、前記紙材で形成される場合には、その内周面に樹脂フィルムや金属箔がラミネートされているものが好ましく使用される。
【００３１】
前記蓋材５は、柔軟性を有する可撓性フィルムであり、ポリプロピレンフィルム、ポリエチレンフィルム、ポリエチレンテレフタレートフィルム、または異種のフィルムがラミネートされた多層フィルムで形成される。蓋材５は、表面５１およびシート収納部３に対面する裏面５２を有し、前記裏面５２の全面に感圧接着剤が塗布されて接着面となっている。あるいは前記裏面５２のうちの前記開口部６に対向しない部分のみが前記接着面となっていてもよい。感圧接着剤はシート収納部３の表面に対して繰り返して接着力を発揮できるものであり、アクリル系の糊剤、可塑剤を含んだポリ塩化ビニル組成物、エチレン酢酸ビニル共重合体に塩化ビニルモノマーがクラフト重合されたクラフト共重合体などで形成される。
【００３２】
なお、前記感圧接着剤は、蓋材５に塗布されずに、シート収納部３の上面３１において開口部６の周囲に塗布されていてもよい。
【００３３】
前記蓋材５は、前記シート収納部３の上面３１において、開口部６を覆った状態で、裏面５２が開口部６の周囲に接着されている。蓋材５は長方形であり、シート収納部３の前端面３４に向く前縁部５３、後端面３５に向く後縁部５４、および開閉操作部材４のスライド方向に沿う両側縁５５，５５を有している。
【００３４】
前記両側縁５５，５５の後縁部５４に寄った位置には切欠きが形成されている。この切欠きは、Ｌ字形状の分離切欠き５６，５６と、この分離切欠き５６，５６の後端に連続するストッパ切欠き５７，５７とを有している。図３に示すように、蓋材５を前縁部５３から徐々に剥がしていくと、前記分離切欠き５６，５６の部分まで剥がれ、ストッパ切欠き５７，５７の部分で引き剥がしに要する力が極端に増強されてそれ以上剥がれないようになる。すなわち、蓋材５の後縁部５４とストッパ切欠き５７，５７との間の部分がストッパ部５８として機能している。
【００３５】
開閉操作部材４は、シート収納部３と同じ材料の紙材またはプラスチックシートで形成されたものであり、上面４１、底面４２、後端面４３および両側面４４，４４を有し、前方に引き出し口４５が形成された５面体の箱体である。前記側面４４，４４の前端に位置する前記引き出し口４５の縁部４６，４６は、上面４１から底面４２に向けて徐々に後退する傾斜辺となっている。
【００３６】
前記開閉操作部材４は、底面４２から後端面４３にかけて開口部４７が形成されている。前記開口部４７に指を入れてシート収納部３の後端面３５を押圧することにより、シート収納部３を引き出し口４５から前方へ押し出すことができる。
【００３７】
図２に示すように、前記蓋材５の前縁部５３から後方へ所定長さの部分が固定部５９となっている。この固定部５９は、１８０度反転するように折り返されて、開閉操作部材４の上面４１の内面で且つ引き出し口４５の直近位置に接着されている。蓋材５と前記上面４１の内面との接着は、蓋材５の裏面５２に設けられている前記感圧接着剤を介しての接着であってもよいし、または前記感圧接着剤よりもさらに強度な接着手段で固定されてもよい。
【００３８】
図２に示すように、蓋材５の前記固定部５９が反転して折り返された状態で、前記シート収納部３および蓋材５が、開閉操作部材４の内部に挿入されている。このとき、シート収納部３の底面３２が、開閉操作部材４の底面４２に押し付けられ、且つ固定部５９が反転して折り返された状態で蓋材５が開閉操作部材４の上面４１に強く押し付けられるように、開閉操作部材４の上面４１と底面４２との間隔が設定されていることが好ましい。
【００３９】
次に、前記シート収納装置１の開閉操作について説明する。
図２（Ａ）は、シート収納部３が開閉操作部材４の内部に完全に挿入された状態、すなわち開閉操作部材４がシート収納部３に対して閉鎖位置となった状態を示している。この実施の形態では、閉鎖位置である開閉操作部材４の上面４１が、シート収納部３の開口部６が形成された上面３１のほぼ全域を覆っている。
【００４０】
この状態で、蓋材５の裏面５２が感圧接着剤を介してシート収納部３の上面３１において開口部６の周囲に接着されており、蓋材５により開口部６が覆われている。
【００４１】
ウェットシート２ａを取り出すときには、開閉操作部材４の前記引き出し口４５の縁部４６，４６の前方に突出しているシート収納部３の両側面３３，３３を保持して、シート収納部３を引き出し口４５から引き出す。または、開閉操作部材４に形成されている開口部４７に指を入れて後端面３５を押すことにより、シート収納部３を引き出し口４５から引き出してもよい。
【００４２】
前記引き出し操作により、開閉操作部材４がシート収納部３に対して相対的に後方へ移動していく。このとき、蓋材５の折り部８がシート収納部３において後方へ向けて徐々に移動していくため、蓋材５はシート収納部３の上面３１に対して後縁部５４に向けて徐々に剥がされていく。よって、蓋材５の裏面５２とシート収納部３の上面３１との接着強度がある程度強くても、蓋材５は上面３１から比較的容易に剥がれることができる。
【００４３】
図３は、シート収納部３が開閉操作部材４の内部から完全に引き出され、開閉操作部材４がシート収納部３に対して開放位置に至った状態を示している。このときシート収納部３からの蓋材５の剥がれは、ストッパ切欠き５７，５７の部分で停止するため、図３の状態でシート収納部３と開閉操作部材４をそれ以上移動させることができなくなる。図３の状態で、蓋材５が開口部６から離れ、また開口部６は開閉操作部材４の外側に位置する。よって、開口部６からウェットシート２ａを１枚ずつあるいは所定枚数ずつ取り出すことが可能となる。
【００４４】
ウェットシート２ａが取り出された後に、シート収納部３を開閉操作部材４の内部に押し込む。開閉操作部材４が図３に示す開放位置から図２に示す閉鎖位置へ移動する間、蓋材５の折り部８がシート収納部３の前端面３４に向けて徐々に移動していく。このとき蓋材５の裏面５２とシート収納部３の上面３１との接着面積が前端面３４に向けて徐々に増加していくため、蓋材５が曲がったり皺が寄ったりすることなく、前記上面３１に蓋材５が隙間を生じることなく確実に接着される。
【００４５】
また、開閉操作部材４が閉鎖位置へ移動する間に、前記のように、開閉操作部材４の上面４１によって蓋材５がシート収納部３の上面３１に押し付けられるため、図２（Ａ）の閉鎖姿勢で、蓋材５とシート収納部３の上面３１とが隙間を有することなく、全面的に確実に接着されて、蓋材５で開口部６が密閉される。したがって、シート収納部３に収納されたウェットシート２ａの乾燥を防止できる。
【００４６】
次に、本発明のシート収納装置の他の実施の形態を説明する。本発明のシート収納装置は、以下に記載するそれぞれの実施の形態を任意に組み合わせて構成することができる。なお、以下の各実施の形態において、前記第１の実施の形態のシート収納装置１と同じ構成または類似する構成部分に対して第１の実施の形態と同じ符号を付して、その詳しい説明は省略する。
【００４７】
図４は、本発明の第２の実施の形態のシート収納装置１０１を示す断面図である。
このシート収納装置１０１の開閉操作部材１０４は、上面４１と底面４２および両側面４４，４４を有しているが、図の左右両側に向く前方引き出し口１４５および後方引き出し口１４３が共に開口した４面体の箱体である。シート収納部１０３は６面体の箱体であり、上面３１に開口部１０６が形成されているが、この開口部１０６は、シート収納部３の前端面３４と後端面３５とのちょうど中間位置に形成されている。
【００４８】
シート収納部１０３の上面には、開口部１０６を覆うように蓋材１０５が接着されている。そして蓋材１０５の前方固定部１５９ａと後方固定部１５９ｂの双方が１８０度反転して折り返され、前方固定部１５９ａと後方固定部１５９ｂの双方が、開閉操作部材１０４の上面４１の内面に接着固定されている。
【００４９】
このシート収納装置１０１は、図４に示す閉鎖位置から、シート収納部１０３を開閉操作部材１０４の前方引き出し口１４５から前方（Ｘ１方向）へ引き出すことができ、また後方引き出し口１４３から後方（Ｘ２方向）へ引き出すことができる。シート収納部１０３をそれぞれの方向へ引き出すとき、すなわち開閉操作部材１０４をＸ１方向とＸ２方向のそれぞれに移動させて開放位置へ至らせる間、蓋材１０５がシート収納部１０３の上面３１から徐々に剥がされて、開口部１０６が露出するようになる。
【００５０】
図５は本発明の第３の実施の形態のシート収納装置２０１を示す断面図である。
図５に示すシート収納装置２０１は、第１の実施の形態のシート収納装置１の変形例である。このシート収納装置２０１では、図５に示す閉鎖位置において、蓋材５の前端部である固定部５９ａが、開閉操作部材４の引き出し口４５から外方へ延び、且つ１８０度反転するように折り返されて、蓋材５の表面５１が開閉操作部材４の上面４１の外面に接着されて固定されている。
【００５１】
前記蓋材５の裏面５２では、開閉操作部材４の外へ突出している部分に前記感圧接着剤が設けられておらず、図５の状態で開閉操作部材４の内部に位置している部分において前記裏面５２に感圧接着剤が設けられ、蓋材５がシート収納部３の上面３１に接着されている。よって図５の状態で、蓋材５の接着面が外部に露出することがない。
【００５２】
また、図５では、シート収納部３の上面３１に接着されている蓋材５と、開閉操作部材４の上面４１の内面との間に隙間が形成されているように図示されているが、実際には蓋材５と前記上面４１とが密接し、上面４１により前記蓋材５がシート収納部３の上面３１に加圧されている。
【００５３】
このシート収納装置２０１では、蓋材５の非接着面である表面５１が、開閉操作部材４の上面４１の内面に常に対向するため、シート収納部３が開閉操作部材４の内部から引き出されるときに、蓋材５が前記上面４１の内面に接着されることがない。よって、シート収納部３と開閉操作部材４との相対移動をスムーズに行うことができる。
【００５４】
図６は本発明の第４の実施の形態のシート収納装置３０１を示す部分拡大断面図である。
【００５５】
このシート収納装置３０１は、第１の実施の形態のシート収納装置１の変形例である。このシート収納装置３０１では、開閉操作部材４の上面４１の内側に加圧部材３０２が設けられている。この加圧部材３０２は、金属板ばね、または樹脂シートで形成された板ばねである。この加圧部材３０２には押圧部３０３が形成されており、この押圧部３０３によって、蓋材５が、シート収納部３の上面３１に常に加圧されている。
【００５６】
このシート収納装置３０１では、シート収納部３を開閉操作部材４の内部に挿入するときに、加圧部材３０２により蓋材５がシート収納部３の上面３１に押し付けられるため、蓋材５が前記上面３１に確実に接着されて、開口部６を常に密閉できる。
【００５７】
図７は本発明の第５の実施の形態のシート収納装置４０１を示す斜視図である。
このシート収納装置４０１は、シート収納部４０３の構造が前記各実施の形態と相違している。前記開閉操作部材４および蓋材５に関しては、前記第１の実施の形態のシート収納装置１などと同じである。
【００５８】
シート収納部４０３は、下容器４０４と上容器４０５に分離されており、それぞれがポリプロピレン樹脂（ＰＰ），ポリエチレン樹脂（ＰＥ），ポリスチレン樹脂（ＰＳ），アクリロニトリルブタジエンスチレン樹脂（ＡＢＳ），エラストマ−樹脂，ポリエチレンテレフタレート樹脂（ＰＥＴ），ポリ塩化ビニル樹脂（ＰＶＣ），ポリカーボネート樹脂などの合成樹脂材料により形成されている。下容器４０４と上容器４０５の成形方法は射出成形（インジェクション成形）、あるいは前記各種樹脂シートを加熱させて変形させる圧空成形や真空成形などである。
【００５９】
下容器４０４の開口部周縁には段差部４０４ａが形成されて、この段差部４０４ａが上容器４０５に嵌合されて、シート収納部４０３の内部が密閉できるようになっている。なお、下容器４０４と上容器４０５の開口部の縁部どうしが接着されて、下容器４０４と上容器４０５とが組み合わされて密閉されていてもよい。
【００６０】
前記上容器４０５の上面には、ウェットシート２ａを取り出す開口部４０６が形成されており、前記上面に接着された蓋材５によって前記開口部４０６が閉鎖されている。
【００６１】
前記シート収納部４０３の内部には、ウェットシート２ａが複数枚重ねられたウェットシート積層体２が直接に収納される。あるいは、前記シート収納部４０３にシート包装体７０が収納されるものであってもよい。このシート包装体７０は、樹脂フィルムまたは樹脂フィルムと金属箔とのラミネート材などで形成された軟質の包装材で形成された袋体７１の内部に、ウェットシート積層体２が収納されており、前記袋体７１にウェットシート２ａを取り出す開口部７６が形成されている。
【００６２】
前記シート包装体７０には、前記開口部７６を覆う蓋シール（図示せず）が接着されているが、この蓋シールを剥がしてからシート包装体７０をシート収納部４０３の内部に収納する。このとき、袋体７１の開口部７６と上容器４０５の開口部４０６とが連通され、上容器４０５の開口部４０６から装体７１の内部のウェットシート２ａを取り出せるようになる。
【００６３】
図８は本発明の第６の実施の形態のシート収納装置５０１を示す斜視図である。
このシート収納装置５０１は、シート収納部５０３の構造が前記各実施の形態と相違している。前記開閉操作部材４および蓋材５に関しては、前記第１の実施の形態のシート収納装置１などと同じである。
【００６４】
前記シート収納部５０３は、上部が開口したトレイ５０４を有している。このトレイ５０４は、紙材を折ることで形成され、または各種熱可塑性樹脂フィルムのシートを加熱して変形させる圧空成形または真空成形により形成されたものである。トレイ５０４の開口部の周囲にはフランジ部５０４ａが折曲げ形成されており、前記フランジ部５０４ａに樹脂フィルム５０５がヒートシールされている。
【００６５】
樹脂フィルム５０５は、ポリエチレンなどのシーラント層とポリプロピレンなどの本体シートとがラミネートされたものであり、トレイ５０４の内部にウェットシート積層体２が収納された状態で、前記シーラント層が前記フランジ部５０４ａにヒートシールされている。
【００６６】
前記樹脂フィルム５０５には開口部５０６が形成されており、シート収納部５０３の内部のウェットシート２ａが前記開口部５０６から取り出し可能である。そして、前記蓋体５は、前記樹脂フィルム５０５の表面に接着されて開口部５０６を閉鎖している。また、前記蓋材５の固定部５９が、開閉操作部材４に接着されている。
【００６７】
前記シート収納部５０３は、トレイ５０４の内部にウェットシート積層体２が収納された後に、樹脂フィルム５０５をヒートシールする工程で形成でき、シート収納部５０３の製造工程を簡単にでき、量産性に優れたものとなる。
【００６８】
図９と図１０は、本発明の第７の実施の形態のシート収納装置６０１Ａと６０１Ｂをそれぞれ示す斜視図である。
【００６９】
図９に示すシート収納装置６０１Ａは、シート収納部３および蓋材５が第１の実施の形態のシート収納装置１と同じである。ただし、開閉操作部材６０４は、上面６４１と両側面６４４，６４４を有する３面体であり、両側面６４４，６４４の下面に小幅寸法の摺動リブ６４２，６４２が形成されている。
【００７０】
前記シート収納部３の上面３１と底面３２が、開閉操作部材６０４の上面６４１と摺動リブ６４２，６４２との間に摺動自在に挿入される。そして、蓋体５の固定部５９が、開閉操作部材６０４の上面６４１の下面に接着固定される。
【００７１】
図１０に示すシート収納装置６０１Ｂでは、開閉操作部材６０４が、上面６４１と両側面６４４，６４４および、両側面６４４，６４４の下縁に形成された摺動リブ６４２，６４２を有する。シート収納部６０３は、両側面３３，３３に、スライド方向に延びる溝６３１，６３１が形成されている。
【００７２】
前記溝６３１，６３１が、開閉操作部材６０４の摺動リブ６４２，６４２に摺動自在に嵌合することにより、シート収納部６０３と開閉操作部材６０４とが互いにスライド動作自在に組み合わされている。
【００７３】
図１１は、本発明の第８の実施の形態のシート収納装置７０１の斜視図である。
このシート収納装置７０１では、シート収納部７０３がプラスチックシートなどで形成された箱状容器であり、上面３１、底面３２、両側面３３，３３、および前端面３４と後端面３５が形成されている。前記前端面３４は開閉自在の蓋として機能している。また、前記上面３１に、大きな開口面積を有する開口部７０６が形成されている。
【００７４】
前記シート収納部７０３の内部には、シート包装体７０が収納される。前述のように、このシート包装体７０は、樹脂フィルムまたは樹脂フィルムと金属箔とのラミネート材などで形成された軟質の包装材で形成された袋体７１の内部に、ウェットシート積層体２が収納されており、前記袋体７１にウェットシート２ａを取り出す開口部７６が形成されている。
【００７５】
シート包装体７０がシート収納部７０３の内部に収納されると、シート包装体７０の開口部７６が、シート収納部７０３の前記開口部７０６の内部に露出する。
【００７６】
蓋材５は、シート収納部７０３の上面３１において、開口部７０６の周囲部分に接着されており、蓋材５の前端部である固定部５９ａが、ほぼ１８０度反転して折り曲げられ、開閉操作部材４の上面４１の表面に接着されている。
【００７７】
このシート収納装置７０１では、シート包装体７０の内部のウェットシート２ａを全て取り出した時点で、新たなシート包装袋７０をシート収納部７０３に入れ替えて使用することが可能である。
【００７８】
図１２は、本発明の第９の実施の形態のシート収納装置８０１を示す斜視図である。
このシート収納装置８０１は、シート収納部８０３が、合成樹脂製の硬質の枠状の容器であり、このシート収納部８０３は、底面８３２と前端面８３４および後端面８３５を有している。そして、前記袋体７１にウェットシート積層体２が収納されたシート包装体７０が、前記シート収納部８０３に着脱自在に保持されている。そして、前記シート包装体７０の上面において、前記袋体７１に直接に蓋材５が接着され、この蓋材５により袋体７１に形成された開口部７６が閉鎖されている。
【００７９】
前記シート包装体７０を保持したシート収納部８０３は、箱状の開閉操作部材４に挿入され、前記蓋材５の前端部である固定部５９が、開閉操作部材４の上面４１の内面に接着固定されている。
【００８０】
このシート収納装置８０１では、開閉操作部材４の内部からシート収納部８０３を引き出す際に、袋体７１の上面に接着された蓋材５が固定部５９側から徐々に剥がされて、開口部７６が現れる。
【００８１】
また、シート収納部８０３を開閉操作部材４の内部に押し込む際には、蓋材５が袋体７１の表面に対してストッパ部５８側から前方に向けて徐々に接着されていく。このように蓋材５がストッパ部５８側から前方に向けて徐々に接着されていくことにより、袋体７１の表面と蓋材５とが波打ったり曲がったりすることなく、その全面において確実に接着されるようになる。またシート収納部８０３が開閉操作部材４に収納されたときに、開閉操作部材４の上面４１で蓋材５を押さえるようにすることにより、蓋材５を袋体７１の上面に確実に接着することができる。
【００８２】
図１３は本発明の第１０の実施の形態のシート収納装置９０１を示す斜視図である。このシート収納装置９０１は、前記第９の実施の形態のシート収納装置８０１を簡素化したものである。
【００８３】
この実施の形態では、シート収納部が、前記シート包装体７０そのものにより形成されている。ただし、図１２に示すような枠状のシート収納部８０３を使用することも可能である。そして、シート包装体７０の袋体７１の上面に蓋材５が直接に接着されて開口部７６が覆われている。
【００８４】
開閉操作部材９０４は、その幅寸法がシート包装体７０の前後方向の長さよりも十分に小さい４面体の枠体であり、開閉操作部材９０４はシート包装体７０の外面に直接に摺動自在に外装されている。そして、前記蓋材５の前端部である固定部５９ａが、開閉操作部材９０４の上面９４１の外面に接着固定されている。
【００８５】
図１３は、開閉操作部材９０４が閉鎖位置にある状態を示しているが、このとき開閉操作部材９０４により、シート包装体７０の一部のみが覆われている。
【００８６】
開閉操作部材９０４を矢印方向へスライドさせて、開放位置へ向けて移動させると、蓋材５は固定部５９ａ側から徐々に剥がされて、開口部７６が現れる。また開閉操作部材９０４を逆方向へスライドさせると、蓋材５はストッパ部５８側から前方に向けて、袋体７１の表面に徐々に接着されていく。
【００８７】
図１４は本発明の第１１の実施の形態のシート収納装置１１０１を示す斜視図である。
このシート収納装置１１０１のシート収納部１１０３は、合成樹脂材料で射出成形した硬質の容器である。シート収納部１１０３は底板１１３２が取り外し自在であり、内部にウエットシート積層体２または前記シート包装体７０を出し入れ自在となっている。シート収納部１１０３の上面１１３１には開口部１１０６が形成され、蓋材５は前記開口部１１０６の周囲で前記上面１１３１に接着されている。
【００８８】
前記上面１１３１には、前記開口部１１０６を挟む位置に平行なガイド部１１３３，１１３３が形成されている。開閉操作部材１１０４は、スライド板であり、前記ガイド部１１３３，１１３３にスライド自在に取り付けられている。また開閉操作部材１１０４の一端には取っ手１１０４ａが肉厚に形成されている。そして、前記蓋材５の先端部である固定部５９ａがほぼ１８０度反転して曲げられ、開閉操作部材１１０４の上面に接着固定されている。
【００８９】
図１４は、開閉操作部材１１０４が引き出されて開放位置に至る途中を示している。開閉操作部材１１０４の開放動作の際に、前記蓋材５がシート収納部１１０３の上面１１３１から徐々に剥がされて、開口部１１０６が現れる。逆に、開閉操作部材１１０４を閉鎖位置へスライドさせる間に、蓋材５と上面１１３１との接着面積が徐々に増加して開口部１１０６が塞がれる。
【００９０】
図１５は本発明の第１２の実施の形態のシート収納装置１２０１を示す斜視図である。
この実施の形態のシート収納部１２０３は、前記シート収納部１１０３と同様の硬質の容器であり、底板１２３２が取り外し自在である。シート収納部１２０３の上面１２３１には窪み部１２３３が形成され、この窪み部１２３３に開口部１２０６が形成されている。
【００９１】
前記上面１２３１には、開閉操作部材１２０４が取り付けられている。この開閉操作部材１２０４は、その基端部１２０４ａが前記シート収納部１２０３に回動自在に連結されており、上端には取っ手１２０４ｂが肉厚に形成されている。
【００９２】
シート収納部１２０３の窪み部１２３３では、開口部１２０６の周囲に蓋材５が接着されて開口部１２０６が塞がれている。そしてこの蓋材５の先端部である固定部５９がほぼ１８０度反転して曲げられ、前記開閉操作部材１２０４の内面に固定されている。
【００９３】
このシート収納装置１２０１では、開閉操作部材１２０４を上方へ回動させる動作によって、蓋材５が窪み部１２３３の表面から徐々に剥がされて開口部１２０６が現れる。また、開閉操作部材１２０４を窪み部１２３３に向けて回動させて閉鎖位置へ移動させると、蓋材５が窪み部１２３３の表面に接着されて、開口部１２０６が塞がれる。
【００９４】
開閉操作部材１２０４は閉鎖位置で軽くロックされる構造が好ましい。この実施の形態では、開閉操作部材１２０４のみで開口部１２０６を塞ぐのではなく、開閉操作部材１２０４の閉鎖動作に応じて、蓋材５を窪み部１２３３の表面に接着させて開口部１２０６を閉鎖するため、閉鎖状態で内部の密閉状態を維持でき、ウェットシート２ａの乾燥を防止しやすい。
【図面の簡単な説明】
【００９５】
【図１】本発明の第１の実施の形態のシート収納装置を示す斜視図、
【図２】（Ａ）は図１に示す第１の実施の形態のシート収納装置のＩＩ−ＩＩ線の断面図、（Ｂ）は、第１の実施の形態のシート収納装置の開放動作の途中を示す拡大断面図、
【図３】第１の実施の形態のシート収納装置の開閉操作部材が開放位置へ移動した状態を示す斜視図、
【図４】本発明の第２の実施の形態のシート収納装置を示す断面図、
【図５】本発明の第３の実施の形態のシート収納装置を示す断面図、
【図６】本発明の第４の実施の形態のシート収納装置を示す一部拡大断面図、
【図７】本発明の第５の実施の形態のシート収納装置を示す分解斜視図、
【図８】本発明の第６の実施の形態のシート収納装置を示す斜視図、
【図９】本発明の第７の実施の形態のシート収納装置を示す斜視図、
【図１０】本発明の第７の実施の形態のシート収納装置の変形例を示す斜視図、
【図１１】本発明の第８の実施の形態のシート収納装置を示す斜視図、
【図１２】本発明の第９の実施の形態のシート収納装置を示す斜視図、
【図１３】本発明の第１０の実施の形態のシート収納装置を示す斜視図、
【図１４】本発明の第１１の実施の形態のシート収納装置を示す斜視図、
【図１５】本発明の第１２の実施の形態のシート収納装置を示す斜視図、
【符号の説明】
【００９６】
１  シート収納装置
２  ウェットシート積層体
３  シート収納部
３１  シート収納部の上面
４  開閉操作部材
５  蓋材
５７  ストッパ切欠き
５８  ストッパ部
５９，５９ａ  固定部
６  開口部
７０  シート包装体
７１  袋体
７６  開口部
１０１  シート収納装置
１０３  シート収納部
１０４  開閉操作部材
１０５  蓋材
２０１  シート収納装置
３０１  シート収納装置
３０２  加圧部材
４０１  シート収納装置
４０３  シート収納部
５０１  シート収納装置
５０３  シート収納部
５０６  開口部
６０１Ａ，６０１Ｂ  シート収納装置
６０３  シート収納部
６０４  開閉操作部材
７０１  シート収納装置
７０３  シート収納部
７０６  開口部
８０１  シート収納装置
８０３  シート収納部
９０１  シート収納装置
９０４  開閉操作部材
１１０１  シート収納装置
１１０３  シート収納部
１１０４  開閉操作部材
１２０１  シート収納装置
１２０３  シート収納部
１２０４  開閉操作部材
【図１】
2005126115.tif 000003
【図２】
2005126115.tif 000004
【図３】
2005126115.tif 000005
【図４】
2005126115.tif 000006
【図５】
2005126115.tif 000007
【図６】
2005126115.tif 000008
【図７】
2005126115.tif 000009
【図８】
2005126115.tif 000010
【図９】
2005126115.tif 000011
【図１０】
2005126115.tif 000012
【図１１】
2005126115.tif 000013
【図１２】
2005126115.tif 000014
【図１３】
2005126115.tif 000015
【図１４】
2005126115.tif 000016
【図１５】
2005126115.tif 000017